(57)【要約】【課題】読取り機構及び記録機構を兼ね備え、省スペース、低コスト、かつ、省電力を実現することが可能な液体噴射装置を提供する。【解決手段】被記録媒体及び被読取媒体の搬送経路上に設けられ、搬送中の被記録媒体に向けて印字動作を実行する液体噴射ヘッドを有する記録手段と、搬送経路と同一経路上に設けられ、下流側に搬送される被記録媒体及び被読取媒体の印字情報を読取る読取手段と、読取手段により読取った印字情報を印字データとして格納する記憶手段とを備えた態様とした。【選択図】図１
2012176576.tif 000002
【特許請求の範囲】
【請求項１】
被記録媒体及び被読取媒体の搬送経路上に設けられ、搬送中の被記録媒体に向けて印字動作を実行する液体噴射ヘッドを有する記録手段と、
前記搬送経路と同一経路上に設けられ、下流側に搬送される被記録媒体及び被読取媒体の印字情報を読取る読取手段と、
前記読取手段により読取った印字情報を印字データとして格納する記憶手段とを備えた液体噴射装置。
【請求項２】
前記読取手段が前記記録手段よりも上流側に設けられた請求項１記載の液体噴射装置。
【請求項３】
前記読取手段及び記録手段を制御する制御装置を備え、
前記制御装置は、前記読取手段に読取られた被記録媒体の印字情報の有無を判別する判別手段と、
前記判別手段により前記被記録媒体の印字情報が認識されたときに、前記記録手段による印字動作を中止又は中断する信号を出力する印字停止手段とを有する請求項２記載の液体噴射装置。
【請求項４】
前記被記録媒体を収容する収容室を備え、
前記読取手段と記録手段との離間距離が、前記収容室に収容可能な被記録媒体の搬送方向最大長さよりも長い請求項３記載の液体噴射装置。
【発明の詳細な説明】
【技術分野】
【０００１】
本発明は、液体噴射装置に関し、より詳細には記録機構と読取り機構とが同一の搬送経路上に設けられた液体噴射装置に関する。
【背景技術】
【０００２】
近年、記録装置の分野においては、所謂複合機と呼ばれる読取り機構と印字機構とを両方備えた記録装置が開発されており、ユーザーは、その使用用途に合わせて被読取媒体となる原稿や、被記録媒体となる用紙等を所定の位置にセットすることにより、読込んだ原稿をデータ化したデータファイルや、所望のデータを被記録媒体に記録した原稿等を得ることができる。
しかしながら、従来の記録装置においては、印字機構と読取り機構とが別の機構として設けられている関係上、読取り対象を読取り機構上にセットする位置、或いは、読取り機構まで搬送する搬送機構が、被記録媒体をセットする位置や印字機構まで搬送する搬送機構と個別に設けられているため、機器の大型化や製造コスト増大、或いは駆動源を多用することに伴う電力消費を抑制することが困難となっていた。
【先行技術文献】
【特許文献】
【０００３】
【特許文献１】特開２００１−１０６４１０号公報
【特許文献２】特開２００５−１９９６５５号公報
【特許文献３】特開２０１０−２１７８３１号公報
【発明の概要】
【発明が解決しようとする課題】
【０００４】
本発明は、上記課題を解決すべく、読取り機構及び記録機構を兼ね備え、省スペース、低コスト、かつ、省電力を実現することが可能な液体噴射装置を提供することを目的とする。
【課題を解決するための手段】
【０００５】
上記課題を解決するための液体噴射装置の態様として、被記録媒体及び被読取媒体の搬送経路上に設けられ、搬送中の被記録媒体に向けて印字動作を実行する液体噴射ヘッドを有する記録手段と、搬送経路と同一経路上に設けられ、下流側に搬送される被記録媒体及び被読取媒体の印字情報を読取る読取手段と、読取手段により読取った印字情報を印字データとして格納する記憶手段とを備えた態様とした。
本態様によれば、同一の搬送経路上に印字動作を実行する液体噴射ヘッドを有する記録手段と、下流側に搬送される被記録媒体及び被読取媒体の印字情報を読取る読取手段とが設けられ、読取手段により読取った印字情報を印字データとして格納する記憶手段を備えることにより、単一の搬送経路上において記録動作及び読取動作を同時又は個別に実行することができ、省スペース、低コスト、かつ、省電力な複合機能を有する液体噴射装置を得ることができる。
また、液体噴射装置の他の態様として、読取手段が記録手段よりも上流側に設けられた態様とした。
本態様によれば、前記態様から生じる効果に加え、被記録媒体が記録手段に搬送されるよりも前に被記録媒体の印字情報を読取手段により読取ることが可能となる。
また、読取手段及び記録手段を制御する制御装置をさらに備え、制御装置が読取手段に読取られた被記録媒体の印字情報の有無を判別する判別手段と、判別手段により被記録媒体の印字情報が認識されたときに、記録手段による印字動作を中止又は中断する信号を出力する印字停止手段とを有する態様とした。
本態様によれば、制御装置が、判別手段により読取手段に読取られた被記録媒体の印字情報の有無を判別し、印字停止手段により被記録媒体の印字情報が認識されたときに、記録手段による印字動作を中止又は中断する信号を出力するので、前記態様から生じる効果に加えて、搬送中の被記録媒体に既に印字がなされている場合に、下流側の記録手段によって新たな印字が重ねてなされることを確実に防止できる。また、印字動作を中断した場合にあっては、液体の無駄な噴射が行われることを確実に防止できる。
なお、本態様において中止とは、被記録媒体に印字が実行される前に記録手段による印字動作を停止することであり、中断とは、被記録媒体に印字がなされている途中で記録手段による印字動作を停止する意である。
また、被記録媒体を収容する収容室を備え、読取手段と記録手段との離間距離が、収容室に収容可能な被記録媒体の搬送方向最大長さよりも長い態様とした。
本態様によれば、読取手段と記録手段とが、収容室に収容可能な被記録媒体の搬送方向最大長さよりも離間しているので、読取手段による印字情報の読取り中に下流側において記録手段による印字が実行されることがなくなり、記録手段による印字動作を確実に中止できる。
【図面の簡単な説明】
【０００６】
【図１】実施形態に係るインクジェットプリンターの要部を示す側断面図である。
【図２】搬送機構の要部を示す平面図である。
【図３】制御装置による印刷動作の処理を示すフローチャート。
【図４】制御装置による読取り動作及び複写動作の処理を示すフローチャート。
【０００７】
以下、発明の実施形態を通じて本発明を詳説するが、以下の実施形態は特許請求の範囲に係る発明を限定するものではなく、また実施形態の中で説明される特徴の組合せのすべてが発明の解決手段に必須であるとは限らず、選択的に採用される構成を含むものである。
【発明を実施するための形態】
【０００８】
図１は、液体噴射装置の一例としてのインクジェットプリンター１の要部を示す側断面図である。図２は、搬送機構の要部を示す平面図である。以下、液体噴射装置の一例をインクジェットプリンター１に基づいて説明する。
インクジェットプリンター１は、被記録媒体１０や被読取媒体１０Ａの搬送経路上流側に設けられた収容室３と、収容室３内に収容された被記録媒体１０や被読取媒体１０Ａを下流側に送り出す送出ローラー２１と、送出ローラー２１により送り出された被記録媒体１０や被読取媒体１０Ａを下流側の記録部６に向かって搬送する搬送機構５と、記録部６に向かって搬送される被記録媒体１０や被読取媒体１０Ａの印字情報を読取るスキャナーユニット７と、ＣＰＵ，ＲＯＭ，ＲＡＭ等のハードウェアを有し、インクジェットプリンター１の動作全般を制御する制御装置５０とを備える。
【０００９】
収容室３内に収容された被記録媒体１０や被読取媒体１０Ａは、送出ローラー２１及び搬送機構５により矢印で示す搬送経路を経て下流側に位置する記録部６まで搬送される。また、搬送中の被記録媒体１０に対して印字動作が実行されることにより、記録部６まで搬送された被記録媒体１０の表面には、記録部６により文字や図形などが印字される。
なお、本明細書において、収容室３内に収容された被記録媒体１０が搬送される方向を下流側とし、下流側と反対方向を上流側とする。
【００１０】
以下、上述の搬送経路に沿ってインクジェットプリンター１の詳細について説明する。収容室３は、ハウジングとしての装置本体２の背面側に傾斜して配置されるトレイ１１により構成される。トレイ１１は、被記録媒体１０や被読取媒体１０Ａの表面と接する基板部と、被記録媒体１０及び被読取媒体１０Ａの搬送方向（長手方向）に沿って立ちがある壁部とにより上方開口の収容空間を有する。
トレイ１１の収容空間は、複数の被記録媒体１０や被読取媒体１０Ａを収容可能であり、被記録媒体１０や被読取媒体１０Ａが単一又は重畳した状態で収容される。また、互いに対向する壁部の間隔や延長長さは、適宜調整可能であり、例えばＡ３，Ａ４等の異なるサイズの被記録媒体１０及び被読取媒体１０Ａを収容することができる。なお、本実施形態におけるトレイ１１は、例えばＡ３サイズまでの被記録媒体１０を収容可能なものとして説明する。
【００１１】
トレイ１１に収容される被記録媒体１０や被読取媒体１０Ａは、図外の分離機構により１枚ずつ分離され、送出ローラー２１の回転駆動により搬入口２Ａを経て下流側の搬送面８に向かって送り出される。搬送面８は、プラテンとも呼ばれる基板であって、被記録媒体１０や被読取媒体１０Ａを略水平状態を維持したまま記録部６まで搬送し、最下流に開設された排出口２Ｂから排出する。搬送面８内に送り出された被記録媒体１０や被読取媒体１０Ａは、搬送面８内に設けられた搬送機構５によってさらに下流側に向かって搬送される。
【００１２】
搬送機構５は、搬送面８上に設けられた中間ローラー２２と、搬送ローラー２３と、排出ローラー２４と、中間ローラー２２、搬送ローラー２３及び排出ローラー２４を回転駆動するモーターＭとにより構成される。
中間ローラー２２は、互いに接触する一対のローラー２２Ａ，２２Ｂにより構成される。一方のローラー２２Ａは、駆動ローラーであり、他方のローラー２２Ｂは従動ローラーである。ローラー２２Ａとローラー２２Ｂとは、外周面が接するように鉛直方向に沿って配置され、被記録媒体１０や被読取媒体１０Ａは、ローラー２２Ａとローラー２２Ｂとの間に挟み込まれるように下流側に搬送される。
【００１３】
搬送ローラー２３は、中間ローラー２２よりも下流側に設けられるローラーであって、上流側に位置する中間ローラー２２を経た被記録媒体１０や被読込媒体１０Ａをさらに下流側の記録部６に向かって搬送する。搬送ローラー２３は、一対のローラー２３Ａ，２３Ｂの外周面が互いに接触するように構成される。また、中間ローラー２２と同様に、一方のローラー２３Ａは駆動ローラーであり、他方のローラー２３Ｂは従動ローラーである。
ローラー２３Ａとローラー２３Ｂとは、外周面が接するように位置ずれして配置される。詳細には、上方に位置するローラー２３Ｂの中心軸は、下方に位置するローラー２３Ａの中心軸よりも下流側に位置する。ローラー２３Ａとローラー２３Ｂとを位置ずれさせて設けたことにより、ローラー２３Ａとローラー２３Ｂとの間に挟み込まれる被記録媒体１０や被読取媒体１０Ａには下向きの力が働き、搬送面８からの浮き上がりが防止される。
【００１４】
送出ローラー２１、中間ローラー２２、搬送ローラー２３及び排出ローラー２４の回転力は、搬送を担うモーターＭの回転力が複数の歯車輪列を介して伝達されることにより付与される。なお、本実施形態における中間ローラー２２及び搬送ローラー２３の回転速度は、同一又は搬送ローラー２３側が僅かに速くなるように設定される。
搬送ローラー２３の下流側には、記録手段としての記録部６が設けられ、記録部６を経た被記録媒体１０や被読取媒体１０Ａは、排出ローラー２４により下流側の排出口２Ｂから排出される。
【００１５】
排出ローラー２４は、記録ヘッド６Ｂよりも下流側に設けられ、一対のローラー群２４Ａ，２４Ｂが互いに接触するように構成される。一方のローラー群２４Ａは、複数のローラーを同軸上に配置した駆動ローラーである。他方のローラー群２４Ｂは、ローラー群２４Ａに対応するように複数のローラーを同軸上に配置した従動ローラーである。ローラー２４群Ａとローラー群２４Ｂとは、外周面が接するように鉛直方向に沿って配置される。搬送ローラー２３によって、下流側に搬送された被記録媒体１０や被読取媒体１０Ａは、ローラー群２４Ａとローラー群２４Ｂとの間に挟み込まれた状態で下流側に搬送され、排出口２Ｂを経て排出トレイ１２上に排出される。
【００１６】
搬送機構５により下流側に搬送される被記録媒体１０や被読取媒体１０Ａは、搬送経路上に配置されたスキャナーユニット７により読込まれる。
スキャナーユニット７は、中間ローラー２２と搬送ローラー２３との間に設けられる読取手段であって、下面に形成された読取り面７Ａが搬送面８と平行に対向するように配設される。スキャナーユニット７は、断面矩形の棒体であって、延長方向が被記録媒体１０や被読取媒体１０Ａの搬送方向と直交するように配置される。
スキャナーユニット７には、例えば、ＣＩＳ方式やＣＣＤ方式が採用され、搬送される被記録媒体１０や被読取媒体１０Ａの表面と対向する読取り面７Ａを通過することにより、桁方向全域の印字情報を読取る。
【００１７】
スキャナーユニット７の読取り面７Ａは、搬送中の被記録媒体１０や被読取媒体１０Ａの表面に向かって光を照射する発光部と、被記録媒体１０や被読取媒体１０Ａの表面に反射した光を受光する受光部とを有し、反射光の変化により桁方向全域の印字情報を検出する。
スキャナーユニット７は、インクジェットプリンター１の動作を制御する制御装置５０と電気的に接続され、検出した印字情報は制御装置５０側に出力される。また、スキャナーユニット７による読取り動作は、制御装置５０と接続されたコンピューター１５等から出力される信号に基づいて開始される。また、読取り面７Ａの対向側には、帯状白色の白基準９が搬送面８と面一となるようにスキャナーユニット７の延長方向に沿って貼付される。
【００１８】
スキャナーユニット７を配置する位置は、中間ローラー２２と搬送ローラー２３との間に限定されるものではなく、中間ローラー２２よりも上流側、或いは、搬送ローラー２３又は記録部６よりも下流側の範囲に配置してもよい。
一方で、スキャナーユニット７を記録部６よりも上流側に配置すれば、ユーザーが過って被記録媒体１０における既に印字がなされている面を後述の記録ヘッド６Ｂのノズル面と対向する側に向けて収容室３内に収容した場合であっても、印字情報の有無を記録部６の記録動作の前に検出できるため好適である。より詳細には、既に印字がなされている面を検出したことに基づいて下流側で実行される記録部６による記録動作を中止又は中断させることができ、重複した印字が行われることを防止できる。
【００１９】
具体的には、スキャナーユニット７と下流側の記録部６との離間距離をトレイ１１内に収容可能な最大面積を有する被記録媒体（本例ではＡ３サイズ）の搬送方向長さ（本例では、４２０ｍｍ）よりも長く設定することが好適である。さらに具体的には、スキャナーユニット７における読取り面７Ａと、記録部６における記録ヘッド６Ｂに開設された最も上流側のノズル列の離間距離を上述の長さよりも長く設定することが好適である。
スキャナーユニット７と下流側の記録部６との離間距離をこのように設定することにより、スキャナーユニット７による印字情報の未検出領域が存在する間に下流側において記録部６による印字動作が実行されてしまうことを確実に防ぐことでき、印字動作を確実に中止することが可能となる。
なお、スキャナーユニット７を搬送面８を挟んだ上下方向に一対配設する構成としてもよい。
この場合には搬送面８にスキャナーユニット７の大きさに対応する開口部を開設する必要があるが、被読取媒体１０Ａにおける表裏面の読取りを同時に行うことができる。また、一対のスキャナーユニット７を配設する際には、互いの白基準９を確保する観点から搬送方向に位置ずれさせることが望ましい。
【００２０】
図２に示すように、制御装置５０は、記録部６による記録動作を制御する記録制御部５１と、スキャナーユニット７による読取動作を制御する読取制御部５２と、スキャナーユニット７により読取った印字情報を印字データとして記憶する記憶部５４と、被記録媒体１０や被読取媒体１０Ａの搬送を制御する搬送制御部５３とを備え、インクジェットプリンター１における給排動作を一貫して制御する。
【００２１】
記録制御部５１により制御される記録部６は、搬送される被記録媒体１０上において搬送方向と直交する方向（桁方向）に移動可能なキャリッジ６Ａと、キャリッジ６Ａの下面に設けられる記録ヘッド６Ｂとを備える。キャリッジ６Ａは、内部に形成された液体収容室内に例えば、シアン、マゼンダ、イエロー、ブラック等のインクカートリッジを備える。
キャリッジ６Ａは、桁方向に掛け渡されたタイミングベルトと接続されており、キャリッジ６Ａと接続された図外の駆動モーターが駆動することにより、ガイド軸１３に沿って被記録媒体１０上を桁方向に沿って往復動作可能である。
記録ヘッド６Ｂは、ガイド軸１３に沿って往復動作するキャリッジ６Ａの下面に設けられ、キャリッジ６Ａ及び記録ヘッド６Ｂ内に形成されたインク流路を経たインクカートリッジ内のインクを下面に形成されたノズル面から被記録媒体１０に向けて噴射する。ノズル面には複数のノズル孔が行列状に開設されており、各ノズル孔からインク滴が噴射される。
記録制御部５１は、キャリッジ６Ａと接続された図外のモーター、及び、記録ヘッド６Ｂ内に形成された圧力印加室内の圧力を変化させるピエゾ素子に所定の電力を供給することにより、記録ヘッド６Ｂを往復動作させながらインクを噴射することにより、記録部６による印字動作を実行する。なお、図示は省略するが、記録部６は、記録ヘッド６Ｂの下面を封止するキャッピング機構や、不要なインク滴を回収するフラッシング機構等も有している。
【００２２】
読取制御部５２により制御される読取手段としてのスキャナーユニット７は、搬送中の被記録媒体１０や被読取媒体１０Ａの表面をスキャニングし、表面の印字情報を読取る。読取制御部５２は、読取られた印字情報を印字データとして記憶部５４に一時的に格納し、記録制御部５１は格納された印字データに基づいて記録部６の印字動作を制御する。
【００２３】
搬送制御部５３は、コンピューター１５や装置本体２に設けられた図外の操作釦からの入力に基づいてモーターＭに信号を出力して、中間ローラー２２と、搬送ローラー２３と、排出ローラー２４とによる被記録媒体１０や被読取媒体１０Ａの搬送を制御する。
詳細には、コンピューター１５や図外の操作釦から制御装置５０に対して印刷動作を開始すべき旨の信号が入力された場合には、記録制御部５１がコンピューター１５、或いは、前述の読取制御部５２から記憶部５４に対して出力された印字データや、コンピューター１５や図外の操作釦により設定される印刷モード等の条件に基づいて、必要なインクや使用するノズル列、印字範囲、キャリッジの動作速度等の印字条件を設定する。
なお、コンピューター１５や図外の操作釦から制御装置５０に対して読取り動作のみを開始すべき旨の信号が入力された場合には、上記印字動作に必要な処理は実行されず、コンピューター１５や図外の操作釦により設定される読取りモードに応じて読取制御部５２が読取り条件を設定する。
【００２４】
搬送制御部５３は、記録制御部５１又は読取制御部５２により設定された条件に合った回転速度となるようにモーターＭに信号を出力する。
例えば、印刷動作のモードや読取り動作のモードが高精細モードである場合には、被記録媒体１０や被読取媒体１０Ａがゆっくり搬送されるようにモーターＭを低速で回転させ、印刷モードや読取りモードが印字速度又は読取速度を優先するモードである場合には、モーターＭに高速回転する信号を出力する。
なお、詳細は後述するが本実施形態におけるインクジェットプリンター１は、上記印刷機能、読取り機能の他に、読取った被読取媒体１０Ａを複写する複写機能を有する。
【００２５】
図３及び図４は、制御装置５０における主要な処理を示すフローチャートである。
以下、同図に基づいて各モードに応じたインクジェットプリンター１の動作について説明する。
図３は、印刷動作時に実行される主要な処理を示す。
制御装置５０の記録制御部５１は、Ｓ１０１において、例えば図外の電源スイッチの押下により電源供給がなされたことに基づいて印刷準備動作を実行する。印刷準備動作とは、例えばインクノズルの詰まりを解消するためにインクを空吐出するフラッシング動作や、ノズル面に付着した不要なインクを拭い去るワイピング動作等を含む。
また、記録制御部５１は、Ｓ１０２において、例えばコンピューター１５や図外の操作釦から印刷動作を開始すべき旨の信号が入力され、記憶部５４に印刷対象となる印字データが格納されたかを判定し、ＹＥＳの場合Ｓ１０３に移行し、ＮＯの場合処理を終了する。
制御装置５０の搬送制御部５３は、Ｓ１０３においてモーターＭを回転させることにより、被記録媒体１０の搬送に必要な送出ローラー２１、中間ローラー２２、搬送ローラー２３及び排出ローラー２４を回転させる搬送動作を開始する。搬送動作の開始により収容室３内に収容された被記録媒体１０は、排出口２Ｂ側へ向かって徐々に搬送される。
制御装置５０の読取制御部５２は、Ｓ１０４においてスキャナーユニット７からの入力に基づいて搬送中の被記録媒体１０の表面上に既に印字がなされている領域（既印字領域）が有るかを判定し、ＹＥＳの場合Ｓ１０５に移行し、ＮＯの場合Ｓ１０７に移行する。
制御装置５０の読取制御部５２は、Ｓ１０５において記録制御部５１に対して印刷中止信号を出力し、当該信号の入力に基づいて記録制御部５１はキャリッジ６Ａの往復動作、及び、記録ヘッド６Ｂによるインクの噴射動作を停止する。つまり、被記録媒体１０に対する印字動作を中止又は中断する。
制御装置５０の搬送制御部５３は、Ｓ１０６において、モーターＭの回転数を増加し、搬送中であった既印字領域を有する被記録媒体１０を直ちに排出口２Ｂ側へ向かって搬送する排出動作を実行し、Ｓ１０２に移行する。排出された被記録媒体１０は、排出動作により排出口２Ｂを経て排出トレイ１２上に排出される。
一方、制御装置５０の記録制御部５１は、Ｓ１０４の判定がＮＯであることに基づいてＳ１０７において記憶部５４に格納された印字データに基づく記録部６による印字動作を継続する。そして、印字が完了した被記録媒体１０は、排出口２Ｂ側へ向かって徐々に搬送され、排出口２Ｂを経て排出トレイ１２上に排出される。
【００２６】
つまり、Ｓ１０４及びＳ１０５に渡る処理により、搬送される被記録媒体１０の表面に既印字領域がある場合には印字動作が中止又は中断されることから、ユーザーが収容室３内に過って印字済みの被記録媒体１０を収容した場合であっても、当該被記録媒体１０の表面上に新たな印字が重なって印刷されるようなことがなくなり、被記録媒体１０が無駄となることを確実に防止できる。
また、前述のとおり、スキャナーユニット７と記録部６との離間距離をトレイ１１内に収容可能な最大面積を有する被記録媒体の搬送方向長さよりも長く設定すれば、Ｓ１０４における判定中に、下流側において記録動作が実行されてしまうことがなくなり、印字動作を確実に中止することが可能となる。
【００２７】
また、Ｓ１０３乃至Ｓ１０７の処理は、Ｓ１０２における判定により記憶部５４に蓄積された印字データがなくなるまで継続し、対応する印字データに相当する枚数分の被記録媒体１０への印字が完了するまで繰り返される。
【００２８】
次に、図４（ａ），（ｂ）を参照して、読取り動作時、及び、複写動作時に実行される主要な処理を示す。なお、読取り動作及び複写動作に共通する処理は同一の符号を用いる。
制御装置５０の搬送制御部５３は、Ｓ２０１においてモーターＭを回転させることにより、被読取媒体１０Ａの搬送に必要な送出ローラー２１、中間ローラー２２、搬送ローラー２３及び排出ローラー２４の回転を開始させる。収容室３内に収容された被読取媒体１０Ａは、当該処理により排出口２Ｂ側へ向かって徐々に搬送される。
制御装置５０の読取制御部５２は、Ｓ２０２においてスキャナーユニット７から逐次入力される検出信号に基づいて、搬送中の被読取媒体１０Ａの表面上に印字されている印字情報を印字データとして記憶部５４に格納する。
読取り動作時においては、Ｓ３０３により、単一又は複数枚の被読取媒体１０Ａの読取りが完了した時点で単一又は複数枚分の印字データを所定の形式に変換してコンピューター１５に出力する。即ち、図４（ａ）のＳ２０１乃至Ｓ３０３の処理により読取り動作が完了する。
一方、複写動作時においては引き続き、記憶部５４内に格納された被読取媒体１０Ａの印字データに基づいて前述の印字動作処理が実行される。
【００２９】
即ち、記録制御部５１は、Ｓ２０３において、記憶部５４に複写の対象となる印字データが格納されているかを判定し、ＹＥＳの場合Ｓ２０４に移行し、ＮＯの場合、処理を終了する。
Ｓ２０４において制御装置５０の搬送制御部５３は、モーターＭを回転させることにより、複写用の被記録媒体１０の搬送に必要な送出ローラー２１、中間ローラー２２、搬送ローラー２３及び排出ローラー２４を回転させる搬送動作を開始する。
制御装置５０の読取制御部５２は、Ｓ２０５においてスキャナーユニット７からの入力に基づいて搬送中の被記録媒体１０の表面上に既印字領域が有るかを判定し、ＹＥＳの場合Ｓ２０６に移行し、ＮＯの場合Ｓ２０８に移行する。
制御装置５０の読取制御部５２は、Ｓ２０６において記録制御部５１に対して印刷中止信号を出力し、当該信号の入力に基づいて記録制御部５１はキャリッジ６Ａの往復動作、及び、記録ヘッド６Ｂによるインクの噴射動作を停止する。つまり、被記録媒体１０に対する印字動作を中止又は中断する。
即ち、複写動作時においても、Ｓ２０５及びＳ２０６に渡る処理により、複写用の被記録媒体１０の表面に既に印字された領域がある場合には、印字動作が中止或いは中断されることから、ユーザーが収容室３内に過って印字済みの被記録媒体１０を収容した場合であっても、当該被記録媒体１０の表面上に新たな印字が重なって印刷されるようなことがなくなり、被記録媒体１０が無駄になることを確実に防止できる。
また、Ｓ２０４乃至Ｓ２０８の処理は、Ｓ２０３における判定により記憶部５４に蓄積された印字データ、即ち、被読取媒体１０Ａから読取った印字データがなくなるまで継続し、対応する印字データに相当する枚数分の被記録媒体１０への印字が完了するまで繰り返される。
【００３０】
以上、本実施形態に係るインクジェットプリンター１の構成によれば、同一の搬送機構５上にスキャナーユニット７、及び、インクを噴射する記録ヘッド６Ｂを備える記録部６が配設されたことにより、印刷動作、読取り動作、複写動作の全てを同一の搬送経路上で一括して実行することが可能である。よって、本実施形態によれば、被記録媒体１０や被読取媒体１０Ａを供給する搬入口２Ａや排出口２Ｂ、或いは、搬送機構５を個別に設けることなく、各機能の数に応じて部品点数を増加させる必要がないため、所謂複合機としての機能を維持したまま、省スペース、低コスト、かつ、省電力の要素を兼ね備えたプリンターを得ることが可能となる。
また、本実施形態に係るインクジェットプリンター１は、記録ヘッド６Ｂよりも搬送経路上流側に配設されたスキャナーユニット７を有することにより、既に印字された領域が存在する被記録媒体１０に対して新たな印字が重ねて印刷されるようなことがなくなり、被記録媒体１０が無駄になることを確実に防止できる。
【００３１】
以上、本発明を実施の形態を用いて説明したが、本発明の技術的範囲は上記実施の形態に記載の範囲には限定されない。上記実施の形態に、多様な変更又は改良を加えることが可能である。
【００３２】
特に、液体噴射装置をインクジェットプリンターとして説明したが、液体を噴射可能な記録ヘッドを備えていればファクシミリ等その他の装置をも含む。また、液体はインクに限定されるものではなく、液晶ディスプレイ、ＥＬディスプレイ、面発光ディスプレイ、カラーフィルター等の製造に採用される電極材や色材を分散又は溶解した状態のものを含む。また、被記録媒体、或いは、被読取媒体は、所謂普通紙のみに限らず、上記フィルム等、記録部に対して搬送可能なものであれば、特に限定されない。
【符号の説明】
【００３３】
１  記録装置、２  装置本体、３  収容室、５  搬送機構、６  記録部、
７  スキャナーユニット、８  搬送面、１０  被記録媒体、１０Ａ  被読取媒体、
２１  送出ローラー、２２  中間ローラー、２３  搬送ローラー、２４  排出ローラー、
５０  制御装置、５１  記録制御部、５２  読取制御部、５３  搬送制御部、
５４  記憶部。
【図１】
2012176576.tif 000003
【図２】
2012176576.tif 000004
【図３】
2012176576.tif 000005
【図４】
2012176576.tif 000006